(57)【要約】【課題】ユーザにとってより快適な環境となるような設定を自動的に行うことのできる設定装置、設定システム、設定方法および設定プログラムを提供する。【解決手段】設定装置は、環境に関する最適設定を記憶する記憶部と、前記環境に対する評価に基づく評価情報、および前記環境の計測結果を示す計測情報を取得する取得部と、前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部とを備える。【選択図】図１
2018071861.tif 000002
【特許請求の範囲】
【請求項１】
環境に関する最適設定を記憶する記憶部と、
前記環境に対する評価に基づく評価情報、および前記環境の計測結果を示す計測情報を取得する取得部と、
前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部とを備える、設定装置。
【請求項２】
前記記憶部は、ユーザごとの前記最適設定を記憶し、
前記設定装置は、さらに、
対象ユーザを特定する特定部を備え、
前記設定部は、前記特定部により特定された前記対象ユーザの前記最適設定の前記設定処理を行う、請求項１に記載の設定装置。
【請求項３】
前記特定部は、前記評価情報を含む情報に基づいて前記対象ユーザを特定する、請求項２に記載の設定装置。
【請求項４】
前記計測結果が前記最適設定となるように制御対象を動作させる第１モードと、前記制御対象を前記最適設定に基づかずに動作させる第２モードとがあり、
前記設定部は、前記第２モードにおいて前記設定処理を行う、請求項１から請求項３のいずれか１項に記載の設定装置。
【請求項５】
設定装置と、
環境の計測を行うセンサとを備え、
前記設定装置は、前記環境に関する最適設定、前記環境に対する評価、および前記センサによる計測結果の関係に応じて、前記最適設定を変更するか否かを決定する設定処理を行う、設定システム。
【請求項６】
設定装置における設定方法であって、
環境に対する評価に基づく評価情報、および前記環境の計測結果を示す計測情報を取得するステップと、
予め記憶する前記環境に関する最適設定、取得した前記評価情報、および取得した前記計測情報の示す前記計測結果の関係に応じて、前記最適設定を変更するか否かを決定する設定処理を行うステップとを含む、設定方法。
【請求項７】
設定装置において用いられる設定プログラムであって、
コンピュータを、
環境に関する最適設定を記憶する記憶部と、
前記環境に対する評価に基づく評価情報、および前記環境の計測結果を示す計測情報を取得する取得部と、
前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部、
として機能させるための設定プログラム。
【発明の詳細な説明】
【技術分野】
【０００１】
本発明は、設定装置、設定システム、設定方法および設定プログラムに関する。
【背景技術】
【０００２】
従来、テレビまたはエアコンなどの機器の設定情報をユーザごとに管理する技術が開発されている。たとえば、特開２００６−１４８６２８号公報（特許文献１）には、以下のようなユーザ別切替え装置が記載されている。すなわち、ユーザ別切替え装置は、入力を受付ける入力受付手段と、前記入力受付手段にて受付けた入力に基づいて、ユーザを特定するユーザ特定手段と、前記ユーザ特定手段にて特定したユーザに基づいて、現在使用中の１人あるいは複数人のユーザを記憶する現ユーザ記憶手段と、項目設定情報をユーザ毎に関連付けて記憶する設定情報記憶手段と、前記現ユーザ記憶手段に記憶している現在使用中ユーザの組合せに基づいて、前記設定情報記憶手段より項目設定情報を取得する設定情報管理手段と、を備える。
【先行技術文献】
【特許文献】
【０００３】
【特許文献１】特開２００６−１４８６２８号公報
【発明の概要】
【発明が解決しようとする課題】
【０００４】
上記のような装置によれば、機器を使用するユーザにより事前に指示された動作内容で当該機器を動作させることができる。
【０００５】
しかしながら、機器が動作することにより当該機器の設けられた空間における環境が変化する場合、上記のように事前に指示された動作内容では、当該機器の動作によって変化した環境が現在のユーザにとって快適ではない可能性がある。
【０００６】
この発明は、上述の課題を解決するためになされたもので、その目的は、ユーザにとってより快適な環境となるような設定を自動的に行うことのできる設定装置、設定システム、設定方法および設定プログラムを提供することである。
【課題を解決するための手段】
【０００７】
（１）上記課題を解決するために、この発明のある局面に係わる設定装置は、環境に関する最適設定を記憶する記憶部と、前記環境に対する評価に基づく評価情報、および前記環境の計測結果を示す計測情報を取得する取得部と、前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部とを備える。
【０００８】
（５）上記課題を解決するために、この発明のある局面に係わる設定システムは、設定装置と、環境の計測を行うセンサとを備え、前記設定装置は、前記環境に関する最適設定、前記環境に対する評価、および前記センサによる計測結果の関係に応じて、前記最適設定を変更するか否かを決定する設定処理を行う。
【０００９】
（６）上記課題を解決するために、この発明のある局面に係わる設定方法は、設定装置における設定方法であって、環境に対する評価に基づく評価情報、および前記環境の計測結果を示す計測情報を取得するステップと、予め記憶する前記環境に関する最適設定、取得した前記評価情報、および取得した前記計測情報の示す前記計測結果の関係に応じて、前記最適設定を変更するか否かを決定する設定処理を行うステップとを含む。
【００１０】
（７）上記課題を解決するために、この発明のある局面に係わる設定プログラムは、設定装置において用いられる設定プログラムであって、コンピュータを、環境に関する最適設定を記憶する記憶部と、前記環境に対する評価に基づく評価情報、および前記環境の計測結果を示す計測情報を取得する取得部と、前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部、として機能させるためのプログラムである。
【００１１】
本発明は、このような特徴的な処理部を備える設定装置として実現することができるだけでなく、このような特徴的な処理部を備える設定装置の一部または全部を実現する半導体集積回路として実現することができる。
【００１２】
また、本発明は、このような特徴的な処理部を備える設定システムとして実現することができるだけでなく、かかる特徴的な処理をステップとする設定方法として実現したり、かかるステップをコンピュータに実行させるためのプログラムとして実現したりすることができる。
【発明の効果】
【００１３】
本発明によれば、ユーザにとってより快適な環境となるような設定を自動的に行うことができる。
【図面の簡単な説明】
【００１４】
【図１】図１は、本発明の実施の形態に係る設定システムの構成を示す図である。
【図２】図２は、本発明の実施の形態に係る設定装置の設定部による設定処理の具体例を説明するための図である。
【図３】図３は、本発明の実施の形態に係る設定装置による制御処理の動作の流れを定めたフローチャートである。
【図４】図４は、本発明の実施の形態に係る設定装置による設定処理の動作の流れを定めたフローチャートである。
【発明を実施するための形態】
【００１５】
最初に、本発明の実施形態の内容を列記して説明する。
【００１６】
（１）本発明の実施の形態に係る設定装置は、環境に関する最適設定を記憶する記憶部と、前記環境に対する評価に基づく評価情報、および前記環境の計測結果を示す計測情報を取得する取得部と、前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部とを備える。
【００１７】
このような構成により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて機器を動作させることにより、当該機器の設けられた空間における環境をユーザにとってより快適な環境にすることができる。したがって、ユーザにとってより快適な環境となるような設定を自動的に行うことができる。
【００１８】
（２）好ましくは、前記記憶部は、ユーザごとの前記最適設定を記憶し、前記設定装置は、さらに、対象ユーザを特定する特定部を備え、前記設定部は、前記特定部により特定された前記対象ユーザの前記最適設定の前記設定処理を行う。
【００１９】
このような構成により、複数のユーザのそれぞれの好みに合わせて、各々の最適設定を変更するか否かを決定することができる。
【００２０】
（３）より好ましくは、前記特定部は、前記評価情報を含む情報に基づいて前記対象ユーザを特定する。
【００２１】
このような構成により、たとえば、対象ユーザが評価の入力を行う場合、設定装置において評価の内容の把握および対象ユーザの特定の両方を１つの入力情報を用いて行うことができる。
【００２２】
（４）好ましくは、前記計測結果が前記最適設定となるように制御対象を動作させる第１モードと、前記制御対象を前記最適設定に基づかずに動作させる第２モードとがあり、前記設定部は、前記第２モードにおいて前記設定処理を行う。
【００２３】
このような構成により、制御対象が最適設定に基づかずに動作している状態においても、ユーザによる評価を受けて最適設定の変更を行うことができる。
【００２４】
（５）本発明の実施の形態に係る設定システムは、設定装置と、環境の計測を行うセンサとを備え、前記設定装置は、前記環境に関する最適設定、前記環境に対する評価、および前記センサによる計測結果の関係に応じて、前記最適設定を変更するか否かを決定する設定処理を行う。
【００２５】
このような構成により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて機器を動作させることにより、当該機器の設けられた空間における環境をユーザにとってより快適な環境にすることができる。したがって、ユーザにとってより快適な環境となるような設定を自動的に行うことができる。
【００２６】
（６）本発明の実施の形態に係る設定方法は、設定装置における設定方法であって、環境に対する評価に基づく評価情報、および前記環境の計測結果を示す計測情報を取得するステップと、予め記憶する前記環境に関する最適設定、取得した前記評価情報、および取得した前記計測情報の示す前記計測結果の関係に応じて、前記最適設定を変更するか否かを決定する設定処理を行うステップとを含む。
【００２７】
このような方法により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて機器を動作させることにより、当該機器の設けられた空間における環境をユーザにとってより快適な環境にすることができる。したがって、ユーザにとってより快適な環境となるような設定を自動的に行うことができる。
【００２８】
（７）本発明の実施の形態に係る設定プログラムは、設定装置において用いられる設定プログラムであって、コンピュータを、環境に関する最適設定を記憶する記憶部と、前記環境に対する評価に基づく評価情報、および前記環境の計測結果を示す計測情報を取得する取得部と、前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部、として機能させるためのプログラムである。
【００２９】
このような構成により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて機器を動作させることにより、当該機器の設けられた空間における環境をユーザにとってより快適な環境にすることができる。したがって、ユーザにとってより快適な環境となるような設定を自動的に行うことができる。
【００３０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３１】
＜構成および基本動作＞
［設定システム］
図１は、本発明の実施の形態に係る設定システムの構成を示す図である。
【００３２】
図１を参照して、設定システム２０１は、設定装置１０１と、センサ１５１とを備える。
【００３３】
センサ１５１は、対象空間における環境に関する計測を、たとえば定期的に行い、計測結果を示す計測情報を設定装置１０１へ送信する。対象空間における環境は、当該対象空間における温度、照度、および音などである。
【００３４】
設定装置１０１は、環境に関する最適設定、すなわちユーザにとって快適な温度、照度および音量などを記憶する。
【００３５】
設定装置１０１は、たとえば、記憶している最適設定、およびセンサ１５１から受信した計測情報の示す計測結果に基づいて、当該対象空間に設けられた電気機器１６１の動作内容を決定する。
【００３６】
電気機器１６１は、対象空間における環境を変化させることのできる機器であり、エアコン、照明、テレビまたはオーディオ機器などである。
【００３７】
入力装置１０２は、電気機器１６１のリモコン、または端末装置などであって、ユーザによる電気機器１６１の動作に関する指示の入力を受け付ける。
【００３８】
たとえば、入力装置１０２は、電気機器１６１を動作させる旨の指示が入力されると、入力された内容を示す指示情報を設定装置１０１へ送信する。
【００３９】
設定装置１０１は、入力装置１０２から送信された指示情報を受信すると、たとえば、受信した指示情報、センサ１５１から受信した計測情報の示す計測結果、および記憶している最適設定に基づいて、制御対象である電気機器１６１の動作内容を決定する。
【００４０】
たとえば、設定装置１０１は、センサ１５１による今後の計測結果が最適設定となるように、制御対象である電気機器１６１の動作内容を決定する。そして、設定装置１０１は、決定した動作内容で当該電気機器１６１が動作するように、当該電気機器１６１の制御を行う。
【００４１】
上述のように、設定装置１０１に記憶されている最適設定に基づいて電気機器１６１が動作する場合の動作モードを、以下「最適モード」と称する。
【００４２】
また、入力装置１０２は、たとえば、電気機器１６１を動作させる旨の指示に加えて、さらに、当該電気機器１６１の動作内容の指示が入力されると、入力された内容を示す指示情報を設定装置１０１へ送信する。
【００４３】
設定装置１０１は、入力装置１０２から送信された指示情報を受信すると、たとえば、受信した指示情報の示す動作内容を、制御対象である電気機器１６１の動作内容として決定する。そして、設定装置１０１は、決定した動作内容で当該電気機器１６１が動作するように、当該電気機器１６１の制御を行う。
【００４４】
上述のように、ユーザにより指示された動作内容で電気機器１６１が動作する場合の動作モードを、以下「通常モード」と称する。
【００４５】
［設定装置］
設定装置１０１は、通信部（取得部）１１と、設定部１２と、記憶部１３と、特定部１４とを含む。
【００４６】
（ａ）対象ユーザの特定
記憶部１３には、１または複数のユーザの各々の最適設定が保存されている。具体的には、対象空間が宅内である場合、記憶部１３には、たとえば、当該宅内で生活する各ユーザのＩＤ（Ｉｄｅｎｔｉｆｉｃａｔｉｏｎ）と、各ユーザの最適設定とが対応づけられている。
【００４７】
また、記憶部１３には、各ユーザのＩＤと、各ユーザの特徴情報とが対応付けられている。各ユーザの特徴情報は、たとえば、各ユーザの声紋、および各ユーザの顔の特徴などを示す。
【００４８】
入力装置１０２は、電気機器１６１の動作に関する指示がユーザにより入力されると、たとえば、入力された内容を示す指示情報を含む第１情報を設定装置１０１へ送信する。第１情報は、たとえば、指示情報に加えて、さらに、指示を行ったユーザである対象ユーザを特定するためのユーザ情報を含む。
【００４９】
通信部１１は、入力装置１０２から送信された第１情報を受信し、受信した第１情報を設定部１２および特定部１４へ出力する。
【００５０】
ここで、ユーザによる入力装置１０２への入力は、音声入力、画像の撮影、またはボタンの操作などにより行われる。
【００５１】
たとえば、ユーザが入力装置１０２に音声を入力することにより電気機器１６１の動作に関する指示を行うと、入力装置１０２は、入力された音声を示す音声情報を第１情報として設定装置１０１へ送信する。
【００５２】
また、たとえば、ユーザが入力装置１０２に設けられたカメラで自己の仕草等を撮影することにより電気機器１６１の動作に関する指示を行うと、入力装置１０２は、撮影画像を示す画像情報を第１情報として設定装置１０１へ送信する。
【００５３】
また、たとえば、入力装置１０２に、電気機器１６１の動作内容を設定するためのボタンであって、１または複数のユーザにそれぞれ対応するボタンが設けられているとする。また、記憶部１３には、たとえば、各ボタンとユーザのＩＤとの対応関係が保存されているとする。この場合、ユーザが自己に対応するボタンを操作することより電気機器１６１の動作に関する指示を行うと、入力装置１０２は、ユーザによるボタンの操作内容を示す操作情報を第１情報として設定装置１０１へ送信する。
【００５４】
特定部１４は、通信部１１から第１情報を受けると、当該第１情報の解析を行い、解析結果および記憶部１３に保存されている各ユーザの特徴情報に基づいて対象ユーザを特定する。
【００５５】
具体的には、第１情報が音声情報である場合、特定部１４は、当該音声情報に含まれるユーザ情報として、たとえば当該音声情報の示す音声から声紋を取得し、取得した声紋と、記憶部１３に特徴情報として保存されている各ユーザの声紋とを比較することにより、対象ユーザを特定する。
【００５６】
また、第１情報が画像情報である場合、特定部１４は、当該画像情報に含まれるユーザ情報として、たとえば当該画像情報の示す撮影画像に写るユーザの顔の特徴を抽出し、抽出した特徴と、記憶部１３に特徴情報として保存されている各ユーザの顔の特徴とを比較することにより、対象ユーザを特定する。
【００５７】
また、第１情報が入力装置１０２に設けられたボタンの操作内容を示す操作情報である場合、特定部１４は、当該操作情報に含まれるユーザ情報として、たとえば当該操作情報の示す操作内容に基づいて対象ユーザにより操作されたボタンを特定し、特定したボタンと、記憶部１３に保存されている各ボタンとユーザのＩＤとの対応関係とを比較することにより、対象ユーザを特定する。
【００５８】
そして、特定部１４は、たとえば、特定した対象ユーザのＩＤを設定部１２に通知する。
【００５９】
なお、ユーザ情報は、指示情報とは異なるタイミングまたは異なる方法により作成されてもよい。
【００６０】
（ｂ）動作内容の決定
通信部１１は、センサ１５１から送信された計測情報を受信し、受信した計測情報の示す計測結果を記憶部１３に保存する。また、通信部１１は、上述のように、入力装置１０２から送信された第１情報を受信すると、受信した第１情報を設定部１２および特定部１４へ出力する。
【００６１】
設定部１２は、通信部１１から第１情報を受けると、当該第１情報の解析を行うことにより、たとえば対象ユーザにより動作が指示された電気機器１６１の種類を特定する。
【００６２】
また、設定部１２は、当該第１情報に含まれる指示情報に基づいて、たとえば対象ユーザにより選択された動作モードを判断する。
【００６３】
具体的には、設定部１２は、指示情報に電気機器１６１の動作内容の指示が含まれない場合、対象ユーザにより選択された動作モードが「最適モード」であると判断する。また、設定部１２は、指示情報に電気機器１６１の動作内容の指示が含まれる場合、対象ユーザにより選択された動作モードが「通常モード」であると判断する。
【００６４】
そして、設定部１２は、対象ユーザにより選択された動作モードが最適モードであると判断した場合、記憶部１３に保存されている最適設定の中から、特定部１４により通知されたＩＤと同一のＩＤに対応づけられた最適設定であって、特定した電気機器１６１の種類に対応する環境の最適設定を読み出す。
【００６５】
具体的には、ユーザＡがエアコンを最適モードで動作させる旨の指示を行ったとすると、設定部１２は、特定部１４からユーザＡのＩＤの通知を受ける。また、設定部１２は、指示情報に基づいて、ユーザＡにより動作が指示された電気機器１６１がエアコンであることを特定する。また、設定部１２は、指示情報に基づいて、ユーザＡにより選択された動作モードが最適モードであると判断する。
【００６６】
そして、設定部１２は、ユーザＡのＩＤに対応づけられた最適設定であって、エアコンに対応する環境の最適設定として、たとえばユーザＡのＩＤに対応づけられた温度の最適設定を記憶部１３から読み出す。
【００６７】
そして、設定部１２は、たとえば、読み出した最適設定、および記憶部１３に保存されている最新の温度の計測結果に基づいて、エアコンの動作内容を決定する。
【００６８】
具体的には、ユーザＡのＩＤに対応づけられた温度の最適設定が２３℃であり、温度の計測結果が２５℃である場合、設定部１２は、たとえば、設定温度２３℃の冷房運転をエアコンの動作内容として決定する。そして、設定部１２は、決定した動作内容を示す制御情報を、通信部１１経由でエアコンへ送信する。
【００６９】
エアコンは、設定装置１０１から送信された制御情報を受信すると、受信した制御情報に従い、設定温度２３℃の冷房運転で動作する。
【００７０】
また、設定部１２は、対象ユーザにより選択された動作モードが通常モードであると判断した場合、指示情報に含まれる動作内容を、当該電気機器１６１の動作内容として決定する。
【００７１】
具体的には、ユーザＡが設定温度２５℃の冷房運転でエアコンを動作させる旨の指示を行ったとすると、設定部１２は、指示情報に基づいて、ユーザＡにより動作が指示された電気機器１６１がエアコンであることを特定する。また、設定部１２は、指示情報に基づいて、ユーザＡにより選択された動作モードが通常モードであると判断する。
【００７２】
そして、設定部１２は、指示情報に含まれる動作内容、すなわち設定温度２５℃の冷房運転をエアコンの動作内容として決定する。そして、設定部１２は、決定した動作内容を示す制御情報を、通信部１１経由でエアコンへ送信する。
【００７３】
エアコンは、設定装置１０１から送信された制御情報を受信すると、受信した制御情報に従い、設定温度２５℃の冷房運転で動作する。
【００７４】
（ｃ）最適設定の変更
設定装置１０１は、環境に対するユーザの評価に基づく評価情報を取得し、取得した評価情報に基づいて、保存している最適設定を変更可能である。
【００７５】
より詳細には、入力装置１０２は、ユーザによる環境に対する評価の入力を受け付ける。環境に対する評価とは、たとえば、対象空間が暑い、対象空間が寒い、照明がまぶしい、照明が暗い、音がうるさい、または音が聞こえない等である。
【００７６】
入力装置１０２は、環境に対する評価がユーザにより入力されると、たとえば、入力された内容を示す評価情報を含む第２情報を設定装置１０１へ送信する。第２情報は、たとえば、評価情報に加えて、さらに、環境に対する評価を行ったユーザである対象ユーザを特定するためのユーザ情報を含む。
【００７７】
たとえば、ユーザが入力装置１０２に音声を入力することにより環境に対する評価の入力を行うと、入力装置１０２は、入力された音声を示す音声情報を第２情報として設定装置１０１へ送信する。
【００７８】
なお、環境に対する評価の入力は、上述した電気機器１６１の動作に関する指示の入力と同様に、音声に限らず、画像の撮影、またはボタンの操作などでもよい。
【００７９】
設定装置１０１における通信部１１は、入力装置１０２から送信された第２情報を受信すると、受信した第２情報を設定部１２および特定部１４へ出力する。
【００８０】
特定部１４は、通信部１１から第２情報を受けると、当該第２情報を解析することにより、上述した第１情報の場合と同様に、環境に対する評価を行ったユーザである対象ユーザを特定し、特定した対象ユーザのＩＤを設定部１２に通知する。
【００８１】
なお、ユーザ情報は、評価情報とは異なるタイミングまたは異なる方法により作成されてもよい。
【００８２】
設定部１２は、通信部１１から第２情報を受けると、当該第２情報に含まれる評価情報に基づいて、対象ユーザによる評価の具体的な内容を特定する。
【００８３】
たとえば、第２情報が音声情報であって、当該第２情報に含まれる評価情報が、対象ユーザが「暑い」と発言したことを示す場合、設定部１２は、対象ユーザが環境に対して暑いと評価したと判定する。また、第２情報が画像情報であって、当該第２情報に含まれる評価情報が、対象ユーザが手で扇ぐような仕草をしている画像を示す場合、設定部１２は、対象ユーザが環境に対して暑いと評価したと判定する。
【００８４】
また、たとえば、第２情報が入力装置１０２に設けられたボタンの操作内容を示す操作情報であって、当該第２情報に含まれる評価情報が、エアコンの設定温度を下げるための操作が行われたことを示す場合、設定部１２は、対象ユーザが環境に対して暑いと評価したと判定する。
【００８５】
また、設定部１２は、記憶部１３に保存されている最適設定の中から、特定部１４により通知されたＩＤと同一のＩＤに対応づけられた最適設定であって、対象ユーザにより評価された環境の最適設定を読み出す。
【００８６】
具体的には、設定部１２は、対象ユーザが環境に対して「暑い」または「寒い」と評価したと判定した場合、たとえば、対象ユーザのＩＤに対応づけられた温度の最適設定を読み出す。
【００８７】
また、設定部１２は、対象ユーザが環境に対して「まぶしい」または「暗い」と評価したと判定した場合、たとえば、対象ユーザのＩＤに対応づけられた照度の最適設定を読み出す。
【００８８】
また、設定部１２は、対象ユーザが環境に対して「うるさい」または「聞こえない」と評価したと判定した場合、たとえば、対象ユーザのＩＤに対応づけられた音量の最適設定を読み出す。
【００８９】
そして、設定部１２は、たとえば、対象ユーザによる評価、記憶部１３に保存されている計測結果、および記憶部１３から読み出した最適設定の関係に応じて、当該最適設定を変更するか否かを決定する設定処理を行う。
【００９０】
そして、設定部１２は、最適設定を変更することを決定した場合、最適設定を変更し、記憶部１３における最適設定を更新する。
【００９１】
（ｄ）設定処理の具体例
図２は、本発明の実施の形態に係る設定装置の設定部による設定処理の具体例を説明するための図である。
【００９２】
（パターン１）
図２を参照して、パターン１のように、センサ１５１による温度の計測結果が２３℃であり、ユーザＡが環境に対して暑いと評価した場合において、ユーザＡのＩＤに対応づけられた温度の最適設定が２５℃であるとする。
【００９３】
この場合、現在のユーザＡにとって快適であると感じる温度は２３℃より低いが、ユーザＡに対応づけられた温度の最適設定は２５℃であるため、設定部１２は、たとえば、当該最適設定を１℃下げることを決定する。そして、設定部１２は、当該最適設定を「２５℃」から「２４℃」に変更し、記憶部１３における最適設定を更新する。なお、設定部１２は、当該最適設定を２３℃以下に変更してもよい。
【００９４】
なお、エアコンが通常モードで動作している場合、上記のような設定部１２による最適設定の変更が行われた場合であっても、当該エアコンはユーザＡにより既に指示された動作内容での動作を継続する。
【００９５】
また、エアコンが最適モードで動作している場合、設定部１２は、たとえば、変更後の最適設定および温度の計測結果に基づいてエアコンの動作内容を新たに決定し、決定した動作内容を示す制御情報を通信部１１経由でエアコンへ送信する。そして、エアコンは、変更後の最適設定に基づく動作内容で動作する。
【００９６】
（パターン２）
また、パターン２のように、センサ１５１による温度の計測結果が２３℃であり、ユーザＡが環境に対して暑いと評価した場合において、ユーザＡのＩＤに対応づけられた温度の最適設定が２１℃であるとする。
【００９７】
この場合、現在のユーザＡにとって快適であると感じる温度は２３℃より低く、ユーザＡに対応づけられた温度の最適設定は２１℃であるため、設定部１２は、たとえば、当該最適設定の変更を行わないことを決定する。
【００９８】
なお、このような状況において、エアコンが最適モードで動作している場合、設定部１２は、たとえば、エアコンの設定温度を変えることなく当該エアコンからの風を強くするなど、エアコンの動作内容を新たに決定し、決定した動作内容を示す制御情報を通信部１１経由でエアコンへ送信してもよい。
【００９９】
（パターン３）
また、パターン３のように、センサ１５１による温度の計測結果が２３℃であり、ユーザＡが環境に対して寒いと評価した場合において、ユーザＡのＩＤに対応づけられた温度の最適設定が２５℃であるとする。
【０１００】
この場合、現在のユーザＡにとって快適であると感じる温度は２３℃より高く、ユーザＡに対応づけられた温度の最適設定は２５℃であるため、設定部１２は、たとえば、最適設定の変更を行わないことを決定する。
【０１０１】
（パターン４）
また、パターン４のように、センサ１５１による温度の計測結果が２３℃であり、ユーザＡが環境に対して寒いと評価した場合において、ユーザＡのＩＤに対応づけられた温度の最適設定が２１℃であるとする。
【０１０２】
この場合、現在のユーザＡにとって快適であると感じる温度は２５℃より高いが、ユーザＡに対応づけられた温度の最適設定は２１℃であるため、設定部１２は、たとえば、当該最適設定を１℃上げることを決定する。そして、設定部１２は、当該最適設定を「２１℃」から「２２℃」に変更し、記憶部１３における最適設定を更新する。なお、設定部１２は、当該最適設定を２３℃以上に変更してもよい。
【０１０３】
そして、エアコンが最適モードで動作している場合、設定部１２は、たとえば、変更後の最適設定および温度の計測結果に基づいてエアコンの動作内容を新たに決定し、決定した動作内容を示す制御情報を通信部１１経由でエアコンへ送信する。
【０１０４】
（パターン５）
上述したパターン１からパターン４では、計測結果と最適設定とが異なる場合における設定処理の具体例を説明した。しかしながら、設定部１２は、計測結果と最適設定とが異なる場合に限らず、たとえば、計測結果と最適設定とが同じ場合において、ユーザが環境に対する不満を示す評価を行った場合、最適設定の変更を決定する構成であってもよい。
【０１０５】
たとえば、パターン５のように、センサ１５１による温度の計測結果が２３℃であり、ユーザＡが環境に対して暑いと評価した場合であって、ユーザＡのＩＤに対応づけられた温度の最適設定が２３℃であるとする。
【０１０６】
この場合、現在のユーザＡにとって快適であると感じる温度は２３℃より低いが、ユーザＡに対応づけられた温度の最適設定は２３℃であるため、設定部１２は、たとえば、当該最適設定を１℃下げることを決定する。そして、設定部１２は、当該最適設定を「２３℃」から「２２℃」に変更し、記憶部１３における最適設定を更新する。なお、設定部１２は、当該最適設定を２１℃以下に変更してもよい。
【０１０７】
そして、エアコンが最適モードで動作している場合、設定部１２は、たとえば、変更後の最適設定および温度の計測結果に基づいてエアコンの動作内容を新たに決定し、決定した動作内容を示す制御情報を通信部１１経由でエアコンへ送信する。
【０１０８】
＜動作の流れ＞
次に、本発明の実施の形態に係る設定装置１０１による動作の流れについて説明する。
【０１０９】
設定システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１１０】
［制御処理］
図３は、本発明の実施の形態に係る設定装置による制御処理の動作の流れを定めたフローチャートである。
【０１１１】
図３を参照して、まず、設定装置１０１は、センサ１５１から送信された計測情報を受信する（ステップＳ１１）。
【０１１２】
次に、設定装置１０１は、入力装置１０２から送信された第１情報を受信すると（ステップＳ１２）、受信した第１情報に含まれるユーザ情報、および自己の記憶する各ユーザの特徴情報に基づいて、電気機器１６１の動作に関する指示を行った対象ユーザを特定する（ステップＳ１３）。
【０１１３】
次に、設定装置１０１は、ステップＳ１２において受信した第１情報に含まれる指示情報に基づいて、対象ユーザにより動作を指示された電気機器１６１の種類を特定する（ステップＳ１４）。
【０１１４】
次に、設定装置１０１は、ステップＳ１２において受信した第１情報に含まれる指示情報に基づいて、対象ユーザにより選択された動作モードが最適モードであるか否かを確認する（ステップＳ１５）。
【０１１５】
そして、設定装置１０１は、対象ユーザにより選択された動作モードが最適モードであることを確認した場合（ステップＳ１５において「ＹＥＳ」）、自己の記憶する各ユーザの最適設定の中から、対象ユーザに対応づけられた最適設定であって、ステップＳ１４において特定した電気機器１６１の種類に対応する環境の最適設定を読み出す（ステップＳ１６）。
【０１１６】
次に、設定装置１０１は、たとえば、読み出した最適設定、およびセンサ１５１から受信した計測情報の示す計測結果に基づいて、電気機器１６１の動作内容を決定する（ステップＳ１７）。
【０１１７】
そして、設定装置１０１は、決定した動作内容を示す制御情報を、制御対象である電気機器１６１へ送信する（ステップＳ１８）。
【０１１８】
一方、設定装置１０１は、対象ユーザにより選択された動作モードが通常モードであることを確認した場合（ステップＳ１５において「ＮＯ」）、たとえば、指示情報に含まれる動作内容を電気機器１６１の動作内容として決定する（ステップＳ１９）。
【０１１９】
そして、設定装置１０１は、決定した動作内容を示す制御情報を、制御対象である電気機器１６１へ送信する（ステップＳ１８）。
【０１２０】
［設定処理］
図４は、本発明の実施の形態に係る設定装置による設定処理の動作の流れを定めたフローチャートである。
【０１２１】
図４を参照して、まず、設定装置１０１は、センサ１５１から送信された計測情報を受信する（ステップＳ２１）。
【０１２２】
次に、設定装置１０１は、入力装置１０２から送信された第２情報を受信すると（ステップＳ２２）、受信した第２情報に含まれるユーザ情報、および自己の記憶する各ユーザの特徴情報に基づいて、環境に対する評価を行った対象ユーザを特定する（ステップＳ２３）。
【０１２３】
次に、設定装置１０１は、ステップＳ２２において受信した第２情報に含まれる評価情報に基づいて、対象ユーザによる評価の具体的な内容を特定する（ステップＳ２４）。
【０１２４】
次に、設定装置１０１は、ステップＳ２４において特定した内容に基づいて、自己の記憶する各ユーザの最適設定の中から、対象ユーザに対応づけられた最適設定であって、対象ユーザにより評価された環境に関する最適設定を読み出す（ステップＳ２５）。
【０１２５】
次に、設定装置１０１は、たとえば、読み出した最適設定、センサ１５１から受信した計測情報の示す計測結果、および評価情報の関係に応じて、読み出した最適設定を変更するか否かを決定する（ステップＳ２６）。
【０１２６】
そして、設定装置１０１は、最適設定を変更することを決定した場合（ステップＳ２６において「ＹＥＳ」）、当該最適設定の変更および更新を行い、設定処理を終了する（ステップＳ２７）。
【０１２７】
一方、設定装置１０１は、最適設定を変更しないことを決定した場合（ステップＳ２６において「ＮＯ」）、当該最適設定の変更を行わずに設定処理を終了する。
【０１２８】
＜変形例１＞
設定装置１０１は、通信部１１、設定部１２、記憶部１３および特定部１４に加えて、さらに、入力装置１０２およびセンサ１５１の少なくともいずれか一方を備える構成でもよい。
【０１２９】
たとえば、設定装置１０１が入力装置１０２を備える場合、ユーザは、電気機器１６１の動作に関する指示の入力、および環境に対する評価の入力を、設定装置１０１に対して直接行う。また、たとえば、設定装置１０１がセンサ１５１を備える場合、設定装置１０１は、自己のセンサ１５１により計測された環境の計測結果を取得する。
【０１３０】
＜変形例２＞
また、設定装置１０１は、電気機器１６１の動作内容の決定、および動作内容を示す制御情報の送信を行わない構成でもよい。
【０１３１】
たとえば、設定装置１０１は、環境に関する最適設定を示す最適設定情報を他の制御装置へ送信する。そして、制御装置が、設定装置１０１から送信された最適設定情報を受信すると、受信した最適設定情報に基づいて電気機器１６１の動作内容を決定し、決定した動作内容を示す制御情報を制御対象である電気機器１６１へ送信する。
【０１３２】
＜変形例３＞
また、記憶部１３には、ユーザごとの最適設定が保存されていなくてもよい。この場合、設定装置１０１は、特定部１４を備える必要は無く、入力装置１０２から送信された第１情報を受信すると、対象ユーザの特定を行うことなく、受信した第１情報に含まれる指示情報に基づいて電気機器１６１の動作内容を決定する。
【０１３３】
また、設定装置１０１は、入力装置１０２から送信された第２情報を受信すると、対象ユーザの特定を行うことなく、受信した第２情報に含まれる評価情報、センサ１５１による計測結果、および記憶している最適設定の関係に応じて、最適設定を変更するか否かを決定する設定処理を行う。
【０１３４】
ところで、特許文献１に記載のような装置によれば、機器を使用するユーザにより事前に指示された動作内容で当該機器を動作させることができる。
【０１３５】
しかしながら、機器が動作することにより当該機器の設けられた空間における環境が変化する場合、上記のように事前に指示された動作内容では、当該機器の動作によって変化した環境が現在のユーザにとって快適ではない可能性がある。
【０１３６】
これに対して、本発明の実施の形態に係る設定装置１０１では、記憶部１３には、環境に関する最適設定が保存されている。また、通信部１１は、環境に対する評価に基づく評価情報、および環境の計測結果を示す計測情報を取得する。また、設定部１２は、記憶部１３に保存された最適設定、通信部１１により取得された評価情報、および通信部１１により取得された計測情報の示す計測結果の関係に応じて、最適設定を変更するか否かを決定する設定処理を行う。
【０１３７】
このような構成により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて電気機器１６１を動作させることにより、当該電気機器１６１の設けられた空間における環境をユーザにとってより快適な環境にすることができる。したがって、ユーザにとってより快適な環境となるような設定を自動的に行うことができる。
【０１３８】
また、本発明の実施の形態に係る設定装置１０１では、記憶部１３には、ユーザごとの最適設定が保存されている。また、特定部１４は、環境に対する評価を行った対象ユーザを特定する。また、設定部１２は、特定部１４により特定された対象ユーザの最適設定の設定処理を行う。
【０１３９】
このような構成により、複数のユーザのそれぞれの好みに合わせて、各々の最適設定を変更するか否かを決定することができる。
【０１４０】
また、本発明の実施の形態に係る設定装置１０１では、特定部１４は、評価情報を含む第２情報に基づいて対象ユーザを特定する。
【０１４１】
このような構成により、たとえば、対象ユーザが評価の入力を行う場合、設定装置１０１において評価の内容の把握および対象ユーザの特定の両方を１つの入力情報を用いて行うことができる。
【０１４２】
また、本発明の実施の形態に係る設定装置１０１の制御対象である電気機器１６１は、センサ１５１による計測結果が最適設定となるように動作する最適モードと、最適設定に基づかずに動作する通常モードとがある。また、設定部１２は、通常モードにおいて設定処理を行う。
【０１４３】
このような構成により、電気機器１６１が最適設定に基づかずに動作している状態、すなわち通常モードで動作している状態においても、ユーザによる評価を受けて最適設定の変更を行うことができる。
【０１４４】
また、本発明の実施の形態に係る設定システム２０１では、センサ１５１は、環境の計測を行う。また、設定装置１０１は、環境に関する最適設定、環境に対する評価、およびセンサ１５１による計測結果の関係に応じて、最適設定を変更するか否かを決定する設定処理を行う。
【０１４５】
このような構成により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて電気機器１６１を動作させることにより、当該電気機器１６１の設けられた空間における環境をユーザにとってより快適な環境にすることができる。したがって、ユーザにとってより快適な環境となるような設定を自動的に行うことができる。
【０１４６】
また、本発明の実施の形態に係る設定装置１０１における設定方法は、環境に対する評価に基づく評価情報、および環境の計測結果を示す計測情報を取得するステップと、予め記憶する環境に関する最適設定、取得した評価情報、および取得した計測情報の示す計測結果の関係に応じて、最適設定を変更するか否かを決定する設定処理を行うステップとを含む。
【０１４７】
このような方法により、たとえば、ユーザが快適であると感じる環境を把握し、現在の最適設定と、ユーザが快適であると感じる環境との間に差がある場合、最適設定の変更を決定することができる。そして、たとえば、変更後の最適設定に基づいて電気機器１６１を動作させることにより、当該電気機器１６１の設けられた空間における環境をユーザにとってより快適な環境にすることができる。したがって、ユーザにとってより快適な環境となるような設定を自動的に行うことができる。
【０１４８】
なお、本発明の実施の形態に係る設定装置１０１の機能の一部または全部が、クラウドコンピューティングによって提供されてもよい。すなわち、本発明の実施の形態に係る設定装置１０１が、複数のクラウドサーバ等によって構成されてもよい。
【０１４９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１５０】
以上の説明は、以下に付記する特徴を含む。
【０１５１】
［付記１］
環境に関する最適設定を記憶する記憶部と、
前記環境に対する評価に基づく評価情報、および前記環境の計測結果を示す計測情報を取得する取得部と、
前記記憶部に記憶された前記最適設定、前記取得部により取得された前記評価情報、および前記取得部により取得された前記計測情報の示す前記計測結果の関係に応じて、前記最適設定を変更するか否かを決定する設定処理を行う設定部とを備え、
前記環境は、対象空間における温度、照度、および音の少なくともいずれか１つを含み、
前記環境に対する前記評価は、前記対象空間が暑い、前記対象空間が寒い、照明がまぶしい、前記照明が暗い、音がうるさい、または前記音が聞こえない旨を示し、
前記評価の入力は、音声入力、画像の撮影、またはボタンの操作により行われ、
前記評価情報は、音声情報、画像情報または操作情報に含まれる、設定装置。
【符号の説明】
【０１５２】
１１  通信部（取得部）
１２  設定部
１３  記憶部
１４  特定部
１０１  設定装置
１０２  入力装置
１５１  センサ
１６１  電気機器
２０１  設定システム
【図１】
2018071861.tif 000003
【図２】
2018071861.tif 000004
【図３】
2018071861.tif 000005
【図４】
2018071861.tif 000006